【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
ディスプレイ照明を制御するための回路であって、
第１のスイッチと、
結合された第１のパルス幅変調信号線と、
第２のスイッチと、
前記第２のスイッチと前記第１のパルス幅変調信号線とに結合された第２のパルス幅変調信号線と、
前記第１のパルス幅変調信号線と前記第２のスイッチとの間で前記第２のパルス幅変調信号線に結合されたトランジスタであって、前記第２のパルス幅変調信号線上で第２のパルス幅変調信号を生成するために、前記第１のパルス幅変調信号線から受信された第１のパルス幅変調信号を反転するように構成されたトランジスタと、
第３のパルス幅変調信号線に結合された第３のスイッチと、
第４のパルス幅変調信号線に結合された第４のスイッチと、
第５のパルス幅変調信号線に結合された第５のスイッチと、
前記第１のスイッチと前記第３のスイッチとに結合された第１の赤素子と、前記第１のスイッチと前記第４のスイッチとに結合された第１の緑素子と、前記第１のスイッチと前記第５のスイッチとに結合された第１の青素子とを含む第１の発光ダイオードと、
前記第２のスイッチと前記第３のスイッチとに結合された第２の赤素子と、前記第２のスイッチと前記第４のスイッチとに結合された第２の緑素子と、前記第２のスイッチと前記第５のスイッチとに結合された第２の青素子とを含む第２の発光ダイオードと
を備え、
電流を前記第１の赤素子に提供するために、前記第１のスイッチが前記第１のパルス幅変調信号線上で前記第１のパルス幅変調信号によって制御され、前記第３のスイッチが前記第３のパルス幅変調信号線上で第３のパルス幅変調信号によって制御され、
電流を前記第１の緑素子に提供するために、前記第１のスイッチが前記第１のパルス幅変調信号線上で前記第１のパルス幅変調信号によって制御され、前記第４のスイッチが前記第４のパルス幅変調信号線上で第４のパルス幅変調信号によって制御され、
電流を前記第１の青素子に提供するために、前記第１のスイッチが前記第１のパルス幅変調信号線上で前記第１のパルス幅変調信号によって制御され、前記第５のスイッチが前記第５のパルス幅変調信号線上で第５のパルス幅変調信号によって制御され、
電流を前記第２の赤素子に提供するために、前記第２のスイッチが前記第２のパルス幅変調信号線上で前記第２のパルス幅変調信号によって制御され、前記第３のスイッチが前記第３のパルス幅変調信号線上で前記第３のパルス幅変調信号によって制御され、
電流を前記第２の緑素子に提供するために、前記第２のスイッチが前記第２のパルス幅変調信号線上で前記第２のパルス幅変調信号によって制御され、前記第４のスイッチが前記第４のパルス幅変調信号線上で前記第４のパルス幅変調信号によって制御され、
電流を前記第２の青素子に提供するために、前記第２のスイッチが前記第２のパルス幅変調信号線上で前記第２のパルス幅変調信号によって制御され、前記第５のスイッチが前記第５のパルス幅変調信号線上で前記第５のパルス幅変調信号によって制御される、回路。
【請求項２】
前記第１のパルス幅変調信号線と、前記第３のパルス幅変調信号線と、前記第４のパルス幅変調信号線と、前記第５のパルス幅変調信号線とに結合された通信ハブデバイスプロセッサをさらに備え、
前記通信ハブデバイスプロセッサは、前記第１の発光ダイオードおよび前記第２の発光ダイオードによって出力された光の色を調整するように、前記第１のパルス幅変調信号、前記第３のパルス幅変調信号、前記第４のパルス幅変調信号、ならびに前記第５のパルス幅変調信号を生成するためのプロセッサ実行可能命令を用いて構成された、請求項１に記載の回路。
【請求項３】
前記通信ハブデバイスプロセッサは、情報を示す、前記第１の発光ダイオードおよび前記第２の発光ダイオードによって出力された光の前記色を調整するように、プロセッサ実行可能命令を用いて構成された、請求項２に記載の回路。
【請求項４】
前記通信ハブデバイスプロセッサは、前記示された情報がリマインダ、警告、要求、実施要請、表示、状態、および確認のうちの１つまたは複数であるように、プロセッサ実行可能命令を用いて構成された、請求項３に記載の回路。
【請求項５】
前記通信ハブデバイスプロセッサは、終夜灯として動作する、前記第１の発光ダイオードおよび前記第２の発光ダイオードによって出力された光の前記色を調整するためのプロセッサ実行可能命令を用いて構成された、請求項２に記載の回路。
【請求項６】
前記通信ハブデバイスプロセッサは、遠隔サーバからの信号に応答して、前記第１の発光ダイオードおよび前記第２の発光ダイオードによって出力された光の前記色を調整するためのプロセッサ実行可能命令を用いて構成された、請求項２に記載の回路。
【請求項７】
前記通信ハブデバイスプロセッサはモバイルデバイスプロセッサであり、
前記プロセッサ実行可能命令は、モバイルデバイスのメモリにダウンロードされたアプリケーション内に含まれた、請求項２に記載の回路。
【請求項８】
通信ハブデバイスのディスプレイ照明を制御するための方法であって、
第１のスイッチを制御するために、第１のパルス幅変調信号を生成することと、
第２のスイッチを制御するために、前記第１のパルス幅変調信号を反転することと、
第３のスイッチを制御するために、第２のパルス幅変調信号を生成することと、
第４のスイッチを制御するために、第３のパルス幅変調信号を生成することと、
第５のスイッチを制御するために、第４のパルス幅変調信号を生成することと
を備え、
前記第１のスイッチおよび前記第３のスイッチが第１の発光ダイオードの第１の赤素子に対する電流を制御し、
前記第１のスイッチおよび前記第４のスイッチが前記第１の発光ダイオードの第１の緑素子に対する電流を制御し、
前記第１のスイッチおよび前記第５のスイッチが前記第１の発光ダイオードの第１の青素子に対する電流を制御し、
前記第２のスイッチおよび前記第３のスイッチが第２の発光ダイオードの第２の赤素子に対する電流を制御し、
前記第２のスイッチおよび前記第４のスイッチが前記第２の発光ダイオードの第２の緑素子に対する電流を制御し、
前記第２のスイッチおよび前記第５のスイッチが前記第２の発光ダイオードの第２の青素子に対する電流を制御する、方法。
【請求項９】
前記第１のパルス幅変調信号、前記第２のパルス幅変調信号、前記第３のパルス幅変調信号、および前記第４のパルス幅変調信号が、前記第１の発光ダイオードおよび前記第２の発光ダイオードによって出力された光の色を調整するために、前記第１のスイッチ、第２のスイッチ、第３のスイッチ、第４のスイッチ、ならびに第５のスイッチを制御する、請求項８に記載の方法。
【請求項１０】
前記第１から第４のパルスを生成することは、情報を示す、前記第１の発光ダイオードおよび前記第２の発光ダイオードによって出力された光を生成するために制御される、請求項９に記載の方法。
【請求項１１】
前記示された情報は、リマインダ、警告、要求、活動、実施要請、表示、状態、および確認のうちの１つまたは複数である、請求項１０に記載の方法。
【請求項１２】
前記第１から第４のパルスを生成することは、終夜灯として動作する、前記第１の発光ダイオードおよび前記第２の発光ダイオードによって出力された光を生成するように制御される、請求項９に記載の方法。
【請求項１３】
遠隔サーバからの信号に応答して、前記第１のパルス幅変調信号と、前記第２のパルス幅変調信号と、前記第３のパルス幅変調信号と、前記第４のパルス幅変調信号とを生成することをさらに備えた、請求項９に記載の方法。
【請求項１４】
前記第１のパルス幅変調信号の位相およびデューティサイクル、ならびに前記第２のパルス幅変調信号の位相およびデューティサイクルは、前記第１の発光ダイオードの前記第１の赤素子の強度と、前記第２の発光ダイオードの前記第２の赤素子の強度とを制御するために、前記第１のスイッチと、前記第２のスイッチと、前記第３のスイッチとを制御する、請求項８に記載の方法。
【請求項１５】
前記第１のパルス幅変調信号の位相およびデューティサイクル、ならびに前記第３のパルス幅変調信号の位相およびデューティサイクルは、記第１の発光ダイオードの前記第１の緑素子の強度と、前記第２の発光ダイオードの前記第２の緑素子の強度とを制御するために、前記第１のスイッチと、前記第２のスイッチと、前記第４のスイッチとを制御する、請求項８に記載の方法。
【請求項１６】
前記第１のパルス幅変調信号の位相およびデューティサイクル、ならびに前記第４のパルス幅変調信号の位相およびデューティサイクルは、前記第１の発光ダイオードの前記第１の青素子の強度と、前記第２の発光ダイオードの前記第２の青素子の強度とを制御するために、前記第１のスイッチと、前記第２のスイッチと、前記第５のスイッチとを制御する、請求項８に記載の方法。
【請求項１７】
前記通信ハブデバイスはモバイルデバイスである、請求項８に記載の方法。
【請求項１８】
第１のパルス幅変調信号を生成することと、前記第１のパルス幅変調信号を反転することと、第２のパルス幅変調信号を生成することと、第３のパルス幅変調信号を生成することと、第４のパルス幅変調信号を生成することとは、前記モバイルデバイスによって実行されるアプリケーションからの命令に応答して実行される、請求項１７に記載の方法。
【請求項１９】
通信ハブデバイスのディスプレイ照明を制御するための回路であって、
第１のスイッチを制御するために、第１のパルス幅変調信号を生成するための手段と、
第２のスイッチを制御するために、前記第１のパルス幅変調信号を反転するための手段と、
第３のスイッチを制御するために、第２のパルス幅変調信号を生成するための手段と、
第４のスイッチを制御するために、第３のパルス幅変調信号を生成するための手段と、
第５のスイッチを制御するために、第４のパルス幅変調信号を生成するための手段と
を備え、
前記第１のスイッチおよび前記第３のスイッチが第１の発光ダイオードの第１の赤素子に対する電流を制御し、
前記第１のスイッチおよび前記第４のスイッチが前記第１の発光ダイオードの第１の緑素子に対する電流を制御し、
前記第１のスイッチおよび前記第５のスイッチが前記第１の発光ダイオードの第１の青素子に対する電流を制御し、
前記第２のスイッチおよび前記第３のスイッチが第２の発光ダイオードの第２の赤素子に対する電流を制御し、
前記第２のスイッチおよび前記第４のスイッチが前記第２の発光ダイオードの第２の緑素子に対する電流を制御し、
前記第２のスイッチおよび前記第５のスイッチが前記第２の発光ダイオードの第２の青素子に対する電流を制御する、回路。
【請求項２０】
前記第１のパルス幅変調信号、前記第２のパルス幅変調信号、前記第３のパルス幅変調信号、および前記第４のパルス幅変調信号は、前記第１の発光ダイオードおよび前記第２の発光ダイオードによって出力された光の色を制御するために、前記第１のスイッチと、前記第２のスイッチと、前記第３のスイッチと、前記第４のスイッチと、前記第５のスイッチとを制御する、請求項１９に記載の回路。
【請求項２１】
前記第１から第４のパルスを生成するための手段は、情報を示す、第１の発光ダイオードおよび前記第２の発光ダイオードによって出力された光を生成するために制御される、請求項２０に記載の回路。
【請求項２２】
前記示された情報は、リマインダ、警告、要求、活動、実施要請、表示、状態、および確認のうちの１つまたは複数である、請求項２１に記載の回路。
【請求項２３】
前記第１から第４のパルスを生成するための手段は、終夜灯として機能する、前記第１の発光ダイオードおよび前記第２の発光ダイオードによって出力された光を生成するために制御される、請求項２０に記載の回路。
【請求項２４】
遠隔サーバからの信号に応答して、前記第１のパルス幅変調信号を生成するための手段と、前記第２のパルス幅変調信号を生成するための手段と、前記第３のパルス幅変調信号を生成するための手段と、前記第４のパルス幅変調信号を生成するための手段とをさらに備える、請求項２０に記載の回路。
【請求項２５】
前記第１のパルス幅変調信号の位相およびデューティサイクル、ならびに前記第２のパルス幅変調信号の位相およびデューティサイクルは、前記第１の発光ダイオードの前記第１の赤素子の強度と、前記第２の発光ダイオードの前記第２の赤素子の強度とを制御するために、前記第１のスイッチと、前記第２のスイッチと、前記第３のスイッチとを制御する、請求項１９に記載の回路。
【請求項２６】
前記第１のパルス幅変調信号の位相およびデューティサイクル、ならびに前記第３のパルス幅変調信号の位相およびデューティサイクルは、前記第１の発光ダイオードの前記第１の緑素子の強度と、前記第２の発光ダイオードの前記第２の緑素子の強度とを制御するために、前記第１のスイッチと、前記第２のスイッチと、前記第４のスイッチとを制御する、請求項１９に記載の回路。
【請求項２７】
前記第１のパルス幅変調信号の位相およびデューティサイクル、ならびに前記第４のパルス幅変調信号の位相およびデューティサイクルは、前記第１の発光ダイオードの前記第１の青素子の強度と、前記第２の発光ダイオードの前記第２の青素子の強度とを制御するために、前記第１のスイッチと、第２のスイッチと、第５のスイッチとを制御する、請求項１９に記載の回路。
【請求項２８】
前記通信ハブデバイスはモバイルデバイスである、請求項１９に記載の回路。
【請求項２９】
第１のパルス幅変調信号を生成することと、前記第１のパルス幅変調信号を反転することと、第２のパルス幅変調信号を生成することと、第３のパルス幅変調信号を生成することと、第４のパルス幅変調信号を生成することとは、前記モバイルデバイスによって実行されるアプリケーションからの命令に応答して実行される、請求項２８に記載の回路。
【請求項３０】
ディスプレイ照明を制御するための回路であって、
第１のスイッチと、
結合された第１のパルス幅変調信号線と、
第２のスイッチと、
前記第２のスイッチと前記第１のパルス幅変調信号線とに結合された第２のパルス幅変調信号線と、
前記第１のパルス幅変調信号線と前記第２のスイッチとの間で前記第２のパルス幅変調信号線に結合されたトランジスタであって、前記第２のパルス幅変調信号線上で第２のパルス幅変調信号を生成するために、前記第１のパルス幅変調信号線から受信された第１のパルス幅変調信号を反転するように構成されたトランジスタと、
第３のパルス幅変調信号線に結合された第３のスイッチと、
第４のパルス幅変調信号線に結合された第４のスイッチと、
第５のパルス幅変調信号線に結合された第５のスイッチと、
前記第１のスイッチと前記第３のスイッチとに結合された第１の素子と、前記第１のスイッチと前記第４のスイッチとに結合された第２の素子と、前記第１のスイッチと前記第５のスイッチとに結合された第３の素子とを含む第１の発光ダイオードと、
前記第２のスイッチと前記第３のスイッチとに結合された第４の素子と、前記第２のスイッチと前記第４のスイッチとに結合された第５の素子と、前記第２のスイッチと前記第５のスイッチとに結合された第６の素子とを含む第２の発光ダイオードと
を備え、
電流を前記第１の素子に提供するために、前記第１のスイッチが前記第１のパルス幅変調信号線上で前記第１のパルス幅変調信号によって制御され、前記第３のスイッチが前記第３のパルス幅変調信号線上で第３のパルス幅変調信号によって制御され、
電流を前記第２の素子に提供するために、前記第１のスイッチが前記第１のパルス幅変調信号線上で前記第１のパルス幅変調信号によって制御され、前記第４のスイッチが前記第４のパルス幅変調信号線上で第４のパルス幅変調信号によって制御され、
電流を前記第３の素子に提供するために、前記第１のスイッチが前記第１のパルス幅変調信号線上で前記第１のパルス幅変調信号によって制御され、前記第５のスイッチが前記第５のパルス幅変調信号線上で第５のパルス幅変調信号によって制御され、
電流を前記第４の素子に提供するために、前記第２のスイッチが前記第２のパルス幅変調信号線上で前記第２のパルス幅変調信号によって制御され、前記第３のスイッチが前記第３のパルス幅変調信号線上で前記第３のパルス幅変調信号によって制御され、
電流を前記第５の素子に提供するために、前記第２のスイッチが前記第２のパルス幅変調信号線上で前記第２のパルス幅変調信号によって制御され、前記第４のスイッチが前記第４のパルス幅変調信号線上で前記第４のパルス幅変調信号によって制御され、
電流を前記第６の素子に提供するために、前記第２のスイッチが前記第２のパルス幅変調信号線上で前記第２のパルス幅変調信号によって制御され、前記第５のスイッチが前記第５のパルス幅変調信号線上で前記第５のパルス幅変調信号によって制御される、回路。
【請求項３１】
通信ハブデバイスのディスプレイ照明を制御するための方法であって、
第１のスイッチを制御するために、第１のパルス幅変調信号を生成することと、
第２のスイッチを制御するために、前記第１のパルス幅変調信号を反転することと、
第３のスイッチを制御するために、第２のパルス幅変調信号を生成することと、
第４のスイッチを制御するために、第３のパルス幅変調信号を生成することと、
第５のスイッチを制御するために、第４のパルス幅変調信号を生成することと
を備え、
前記第１のスイッチおよび前記第３のスイッチが第１の発光ダイオードの第１の素子に対する電流を制御し、
前記第１のスイッチおよび前記第４のスイッチが前記第１の発光ダイオードの第２の素子に対する電流を制御し、
前記第１のスイッチおよび前記第５のスイッチが前記第１の発光ダイオードの第３の素子に対する電流を制御し、
前記第２のスイッチおよび前記第３のスイッチが第２の発光ダイオードの第４の素子に対する電流を制御し、
前記第２のスイッチおよび前記第４のスイッチが前記第２の発光ダイオードの第５の素子に対する電流を制御し、
前記第２のスイッチおよび前記第５のスイッチが前記第２の発光ダイオードの第６の素子に対する電流を制御する、方法。
【請求項３２】
通信ハブデバイスのディスプレイ照明を制御するための回路であって、
第１のスイッチを制御するために、第１のパルス幅変調信号を生成するための手段と、
第２のスイッチを制御するために、前記第１のパルス幅変調信号を反転するための手段と、
第３のスイッチを制御するために、第２のパルス幅変調信号を生成するための手段と、
第４のスイッチを制御するために、第３のパルス幅変調信号を生成するための手段と、
第５のスイッチを制御するために、第４のパルス幅変調信号を生成するための手段と
を備え、
前記第１のスイッチおよび前記第３のスイッチが第１の発光ダイオードの第１の素子に対する電流を制御し、
前記第１のスイッチおよび前記第４のスイッチが前記第１の発光ダイオードの第２の素子に対する電流を制御し、
前記第１のスイッチおよび前記第５のスイッチが前記第１の発光ダイオードの第３の素子に対する電流を制御し、
前記第２のスイッチおよび前記第３のスイッチが第２の発光ダイオードの第４の素子に対する電流を制御し、
前記第２のスイッチおよび前記第４のスイッチが前記第２の発光ダイオードの第５の素子に対する電流を制御し、
前記第２のスイッチおよび前記第５のスイッチが前記第２の発光ダイオードの第６の素子に対する電流を制御する、回路。
【手続補正２】
【補正対象書類名】明細書
【補正対象項目名】０２０５
【補正方法】変更
【補正の内容】
【０２０５】
開示された実施形態の上の説明は、当業者が、本発明を行うこと、または本発明を使用するのを可能にするために提供される。これらの実施形態に対する様々な修正は、当業者に容易に明らかになるであろうし、本明細書で定義された一般原理を、本発明の趣旨または範囲から逸脱せずに、他の実施形態に適用することが可能である。したがって、本発明は、本明細書に示された実施形態に限定されることが意図されず、以下の請求項、ならびに本明細書で開示された原理および新規性のある特徴に一致する最大範囲が与えられるべきである。
以下に、本願出願の当初の特許請求の範囲に記載された発明を付記する。
［１］  ディスプレイ照明を制御するための回路であって、第１のスイッチと、結合された第１のパルス幅変調信号線と、第２のスイッチと、前記第２のスイッチと前記第１のパルス幅変調信号線とに結合された第２のパルス幅変調信号線と、前記第１のパルス幅変調信号線と前記第２のスイッチとの間で前記第２のパルス幅変調信号線に結合されたトランジスタであって、前記第２のパルス幅変調信号線上で第２のパルス幅変調信号を生成するために、前記第１のパルス幅変調信号線から受信された第１のパルス幅変調信号を反転するように構成されたトランジスタと、第３のパルス幅変調信号線に結合された第３のスイッチと、第４のパルス幅変調信号線に結合された第４のスイッチと、第５のパルス幅変調信号線に結合された第５のスイッチと、前記第１のスイッチと前記第３のスイッチとに結合された第１の赤素子と、前記第１のスイッチと前記第４のスイッチとに結合された第１の緑素子と、前記第１のスイッチと前記第５のスイッチとに結合された第１の青素子とを含む第１の発光ダイオードと、前記第２のスイッチと前記第３のスイッチとに結合された第２の赤素子と、前記第２のスイッチと前記第４のスイッチとに結合された第２の緑素子と、前記第２のスイッチと前記第５のスイッチとに結合された第２の青素子とを含む第２の発光ダイオードとを備え、電流を前記第１の赤素子に提供するために、前記第１のスイッチが前記第１のパルス幅変調信号線上で前記第１のパルス幅変調信号によって制御され、前記第３のスイッチが前記第３のパルス幅変調信号線上で第３のパルス幅変調信号によって制御され、電流を前記第１の緑素子に提供するために、前記第１のスイッチが前記第１のパルス幅変調信号線上で前記第１のパルス幅変調信号によって制御され、前記第４のスイッチが前記第４のパルス幅変調信号線上で第４のパルス幅変調信号によって制御され、電流を前記第１の青素子に提供するために、前記第１のスイッチが前記第１のパルス幅変調信号線上で前記第１のパルス幅変調信号によって制御され、前記第５のスイッチが前記第５のパルス幅変調信号線上で第５のパルス幅変調信号によって制御され、電流を前記第２の赤素子に提供するために、前記第２のスイッチが前記第２のパルス幅変調信号線上で前記第２のパルス幅変調信号によって制御され、前記第３のスイッチが前記第３のパルス幅変調信号線上で前記第３のパルス幅変調信号によって制御され、電流を前記第２の緑素子に提供するために、前記第２のスイッチが前記第２のパルス幅変調信号線上で前記第２のパルス幅変調信号によって制御され、前記第４のスイッチが前記第４のパルス幅変調信号線上で前記第４のパルス幅変調信号によって制御され、電流を前記第２の青素子に提供するために、前記第２のスイッチが前記第２のパルス幅変調信号線上で前記第２のパルス幅変調信号によって制御され、前記第５のスイッチが前記第５のパルス幅変調信号線上で前記第５のパルス幅変調信号によって制御される回路。
［２］  前記第１のパルス幅変調信号線と、前記第３のパルス幅変調信号線と、前記第４のパルス幅変調信号線と、前記第５のパルス幅変調信号線とに結合された通信ハブデバイスプロセッサをさらに備え、前記通信ハブデバイスプロセッサが、前記第１の発光ダイオードおよび前記第２の発光ダイオードによって出力された光の色を調整するように、前記第１のパルス幅変調信号、前記第３のパルス幅変調信号、前記第４のパルス幅変調信号、ならびに前記第５のパルス幅変調信号を生成するためのプロセッサ実行可能命令を用いて構成された、［１］に記載の回路。
［３］  前記通信ハブデバイスプロセッサが、情報を示す、前記第１の発光ダイオードおよび前記第２の発光ダイオードによって出力された光の前記色を調整するように、プロセッサ実行可能命令を用いて構成された、［２］に記載の回路。
［４］  前記通信ハブデバイスプロセッサが、前記示された情報がリマインダ、警告、要求、実施要請、表示、状態、および確認のうちの１つまたは複数であるように、プロセッサ実行可能命令を用いて構成された、［３］に記載の回路。
［５］  前記通信ハブデバイスプロセッサが、終夜灯として動作する、前記第１の発光ダイオードおよび前記第２の発光ダイオードによって出力された光の前記色を調整するためのプロセッサ実行可能命令を用いて構成された、［２］に記載の回路。
［６］  前記通信ハブデバイスプロセッサが、遠隔サーバからの信号に応答して、前記第１の発光ダイオードおよび前記第２の発光ダイオードによって出力された光の前記色を調整するためのプロセッサ実行可能命令を用いて構成された、［２］に記載の回路。
［７］  前記通信ハブデバイスプロセッサがモバイルデバイスプロセッサであり、前記プロセッサ実行可能命令が、モバイルデバイスのメモリにダウンロードされたアプリケーション内に含まれた、［２］に記載の回路。
［８］  通信ハブデバイスのディスプレイ照明を制御するための方法であって、第１のスイッチを制御するために、第１のパルス幅変調信号を生成することと、第２のスイッチを制御するために、前記第１のパルス幅変調信号を反転することと、第３のスイッチを制御するために、第２のパルス幅変調信号を生成することと、第４のスイッチを制御するために、第３のパルス幅変調信号を生成することと、第５のスイッチを制御するために、第４のパルス幅変調信号を生成することとを備え、前記第１のスイッチおよび前記第３のスイッチが第１の発光ダイオードの第１の赤素子に対する電流を制御し、前記第１のスイッチおよび前記第４のスイッチが前記第１の発光ダイオードの第１の緑素子に対する電流を制御し、前記第１のスイッチおよび前記第５のスイッチが前記第１の発光ダイオードの第１の青素子に対する電流を制御し、前記第２のスイッチおよび前記第３のスイッチが第２の発光ダイオードの第２の赤素子に対する電流を制御し、前記第２のスイッチおよび前記第４のスイッチが前記第２の発光ダイオードの第２の緑素子に対する電流を制御し、前記第２のスイッチおよび前記第５のスイッチが前記第２の発光ダイオードの第２の青素子に対する電流を制御する方法。
［９］  前記第１のパルス幅変調信号、前記第２のパルス幅変調信号、前記第３のパルス幅変調信号、および前記第４のパルス幅変調信号が、前記第１の発光ダイオードおよび前記第２の発光ダイオードによって出力された光の色を調整するために、前記第１のスイッチ、第２のスイッチ、第３のスイッチ、第４のスイッチ、ならびに第５のスイッチを制御する、［８］に記載の方法。
［１０］  前記第１から第４のパルスを生成することが、情報を示す、前記第１の発光ダイオードおよび前記第２の発光ダイオードによって出力された光を生成するために制御される、［９］に記載の方法。
［１１］  前記示された情報が、リマインダ、警告、要求、活動、実施要請、表示、状態、および確認のうちの１つまたは複数である、［１０］に記載の方法。
［１２］  前記第１から第４のパルスを生成することが、終夜灯として動作する、前記第１の発光ダイオードおよび前記第２の発光ダイオードによって出力された光を生成するように制御される、［９］に記載の方法。
［１３］  遠隔サーバからの信号に応答して、前記第１のパルス幅変調信号と、前記第２のパルス幅変調信号と、前記第３のパルス幅変調信号と、前記第４のパルス幅変調信号とを生成することをさらに備えた、［９］に記載の方法。
［１４］  前記第１のパルス幅変調信号の位相およびデューティサイクル、ならびに前記第２のパルス幅変調信号の位相およびデューティサイクルが、前記第１の発光ダイオードの前記第１の赤素子の強度と、前記第２の発光ダイオードの前記第２の赤素子の強度とを制御するために、前記第１のスイッチと、前記第２のスイッチと、前記第３のスイッチとを制御する、［８］に記載の方法。
［１５］  前記第１のパルス幅変調信号の位相およびデューティサイクル、ならびに前記第３のパルス幅変調信号の位相およびデューティサイクルが、前記第１の発光ダイオードの前記第１の緑素子の強度と、前記第２の発光ダイオードの前記第２の緑素子の強度とを制御するために、前記第１のスイッチと、前記第２のスイッチと、前記第４のスイッチとを制御する、［８］に記載の方法。
［１６］  前記第１のパルス幅変調信号の位相およびデューティサイクル、ならびに前記第４のパルス幅変調信号の位相およびデューティサイクルが、前記第１の発光ダイオードの前記第１の青素子の強度と、前記第２の発光ダイオードの前記第２の青素子の強度とを制御するために、前記第１のスイッチと、前記第２のスイッチと、前記第５のスイッチとを制御する、［８］に記載の方法。
［１７］  前記通信ハブデバイスがモバイルデバイスである、［８］に記載の方法。
［１８］  第１のパルス幅変調信号を生成することと、前記第１のパルス幅変調信号を反転することと、第２のパルス幅変調信号を生成することと、第３のパルス幅変調信号を生成することと、第４のパルス幅変調信号を生成することとが、前記モバイルデバイスによって実行されるアプリケーションからの命令に応答して実行される、［１７］に記載の方法。
［１９］  通信ハブデバイスのディスプレイ照明を制御するための回路であって、第１のスイッチを制御するために、第１のパルス幅変調信号を生成するための手段と、第２のスイッチを制御するために、前記第１のパルス幅変調信号を反転するための手段と、第３のスイッチを制御するために、第２のパルス幅変調信号を生成するための手段と、第４のスイッチを制御するために、第３のパルス幅変調信号を生成するための手段と、第５のスイッチを制御するために、第４のパルス幅変調信号を生成するための手段とを備え、前記第１のスイッチおよび前記第３のスイッチが第１の発光ダイオードの第１の赤素子に対する電流を制御し、前記第１のスイッチおよび前記第４のスイッチが前記第１の発光ダイオードの第１の緑素子に対する電流を制御し、前記第１のスイッチおよび前記第５のスイッチが前記第１の発光ダイオードの第１の青素子に対する電流を制御し、前記第２のスイッチおよび前記第３のスイッチが第２の発光ダイオードの第２の赤素子に対する電流を制御し、前記第２のスイッチおよび前記第４のスイッチが前記第２の発光ダイオードの第２の緑素子に対する電流を制御し、前記第２のスイッチおよび前記第５のスイッチが前記第２の発光ダイオードの第２の青素子に対する電流を制御する回路。
［２０］  前記第１のパルス幅変調信号、前記第２のパルス幅変調信号、前記第３のパルス幅変調信号、および前記第４のパルス幅変調信号が、前記第１の発光ダイオードおよび前記第２の発光ダイオードによって出力された光の色を制御するために、前記第１のスイッチと、前記第２のスイッチと、前記第３のスイッチと、前記第４のスイッチと、前記第５のスイッチとを制御する、［１９］に記載の回路。
［２１］  前記第１から第４のパルスを生成するための手段が、情報を示す、第１の発光ダイオードおよび前記第２の発光ダイオードによって出力された光を生成するために制御される、［２０］に記載の回路。
［２２］  前記示された情報が、リマインダ、警告、要求、活動、実施要請、表示、状態、および確認のうちの１つまたは複数である、［２１］に記載の回路。
［２３］  前記第１から第４のパルスを生成するための手段が、終夜灯として機能する、前記第１の発光ダイオードおよび前記第２の発光ダイオードによって出力された光を生成するために制御される、［２０］に記載の回路。
［２４］  遠隔サーバからの信号に応答して、前記第１のパルス幅変調信号を生成するための手段と、前記第２のパルス幅変調信号を生成するための手段と、前記第３のパルス幅変調信号を生成するための手段と、前記第４のパルス幅変調信号を生成するための手段とをさらに備える、［２０］に記載の回路。
［２５］  前記第１のパルス幅変調信号の位相およびデューティサイクル、ならびに前記第２のパルス幅変調信号の位相およびデューティサイクルが、前記第１の発光ダイオードの前記第１の赤素子の強度と、前記第２の発光ダイオードの前記第２の赤素子の強度とを制御するために、前記第１のスイッチと、前記第２のスイッチと、前記第３のスイッチとを制御する、［１９］に記載の回路。
［２６］  前記第１のパルス幅変調信号の位相およびデューティサイクル、ならびに前記第３のパルス幅変調信号の位相およびデューティサイクルが、前記第１の発光ダイオードの前記第１の緑素子の強度と、前記第２の発光ダイオードの前記第２の緑素子の強度とを制御するために、前記第１のスイッチと、前記第２のスイッチと、前記第４のスイッチとを制御する、［１９］に記載の回路。
［２７］  前記第１のパルス幅変調信号の位相およびデューティサイクル、ならびに前記第４のパルス幅変調信号の位相およびデューティサイクルが、前記第１の発光ダイオードの前記第１の青素子の強度と、前記第２の発光ダイオードの前記第２の青素子の強度とを制御するために、前記第１のスイッチと、第２のスイッチと、第５のスイッチとを制御する、［１９］に記載の回路。
［２８］  前記通信ハブデバイスがモバイルデバイスである、［１９］に記載の回路。
［２９］  第１のパルス幅変調信号を生成することと、前記第１のパルス幅変調信号を反転することと、第２のパルス幅変調信号を生成することと、第３のパルス幅変調信号を生成することと、第４のパルス幅変調信号を生成することとが、前記モバイルデバイスによって実行されるアプリケーションからの命令に応答して実行される、［２８］に記載の回路。